(57)【要約】【課題】  この発明は、迷惑ＦＡＸや間違いＦＡＸを正常に受信した場合に、送信元に迷惑ＦＡＸを中止させたり、間違いＦＡＸが送られてきたことを送信元に通知したりするためのメッセージを、簡単な操作で送信元に送ることができるようになるファクシミリ装置を提供することを目的とする。【解決手段】  受信履歴詳細画面上の迷惑・誤送信通知ボタンが操作されたときに、当該受信履歴情報に含まれている発信者番号に基づいて、当該受信履歴に対応する送信元に対して、予め登録されているメッセージであって、迷惑ＦＡＸを中止させたり、間違いＦＡＸが送られてきたことを通知したりするためのメッセージをファクシミリ送信する第４手段を備えている。【選択図】  図４
2007028024.tif 000002
【特許請求の範囲】
【請求項１】
タッチパネル付き表示器および少なくとも通信結果、受信時刻および受信ページ数を含む受信履歴情報を保存するとともにユーザ操作に基づいて保存している受信履歴情報をタッチパネル付き表示器に表示させる手段を備えており、受信履歴情報には受信時に発信者番号を取得できたときには発信者番号が含まれるようになっているファクシミリ装置において、
ユーザ操作に基づいて、受信履歴のリストをタッチパネル付き表示器に表示させる第１手段、
受信履歴のリストからユーザによって選択されたリストに対応する受信履歴の詳細情報を表示する際には、ユーザによって選択されたリストに対応する受信履歴情報内に発信者番号が含まれているか否かを判別する第２手段、
発信者番号が含まれていると判別した場合には、ユーザによって選択されたリストに対応する受信履歴の詳細情報とともに、迷惑・誤送信通知ボタンを含む受信履歴詳細画面をタッチパネル付き表示器に表示させる第３手段、ならびに
受信履歴詳細画面上の迷惑・誤送信通知ボタンが操作されたときに、当該受信履歴情報に含まれている発信者番号に基づいて、当該受信履歴に対応する送信元に対して、予め登録されているメッセージであって、迷惑ＦＡＸを中止させたり、間違いＦＡＸが送られてきたことを通知したりするためのメッセージをファクシミリ送信する第４手段、
を備えていることを特徴とするファクシミリ装置。
【請求項２】
受信履歴情報には受信画像の一部が含まれており、上記第４手段は、上記受信履歴に対応する送信元に対して、上記メッセージとともに当該受信履歴情報に含まれている受信画像の一部をファクシミリ送信するものであることを特徴とする請求項１に記載のファクシミリ装置。
【請求項３】
受信を拒否すべき発信者番号を不揮発性メモリに受信拒否番号としてユーザに登録させる手段、
受信時において、発信者番号通知またはＴＳＩ情報から取得した発信者番号が、受信拒否番号として登録されている場合には、受信処理を行なうことなく、回線を遮断させる手段、および
上記第３手段によって表示されている受信履歴詳細画面上の迷惑・誤送信通知ボタンが操作されたときに、当該受信履歴情報に含まれている発信者番号を上記不揮発性メモリに受信拒否番号として自動的に登録させる手段、                                        を備えていることを特徴とする請求項１および２のいずれかに記載のファクシミリ装置。
【発明の詳細な説明】
【技術分野】
【０００１】
この発明は、ファクシミリ装置に関する。
【背景技術】
【０００２】
特開２００２−２４７２３６号公報には、発信者番号非通知でかつＴＳＩ情報に発信者情報を登録していない発信元または迷惑ＦＡＸ防止機能に登録されている発信元からのファクシミリ送信に対しては回線を遮断する機能を備えたファクシミリ装置が開示されている。上記ファクシミリ装置は、さらに、発信者番号非通知でかつＴＳＩ情報に発信者情報を登録している発信元に対しては、発信者番号通知でファクシミリ送信を行なうよう促すメッセージを通知する機能も備えている。しかしながら、迷惑ＦＡＸ防止機能に登録されていない発信元から迷惑ＦＡＸが送信されてきて、正常に受信した後の処理については開示されてない。
【０００３】
迷惑ＦＡＸや間違いＦＡＸを正常に受信した場合において、送信元のＦＡＸ番号をユーザが認識できるときには、ユーザが受信した原稿にメッセージを書き込んだ後、その原稿を送信元に送り返すことにより、送信元に迷惑ＦＡＸを中止させたり、間違いＦＡＸが送られてきたことを送信元に通知したりしている。しかしながら、このような操作はユーザにとって面倒であった。
【０００４】
【特許文献１】特開２００２−２４７２３６号公報
【発明の開示】
【発明が解決しようとする課題】
【０００５】
この発明は、迷惑ＦＡＸや間違いＦＡＸを正常に受信した場合に、送信元に迷惑ＦＡＸを中止させたり、間違いＦＡＸが送られてきたことを送信元に通知したりするためのメッセージを、簡単な操作で送信元に送ることができるようになるファクシミリ装置を提供することを目的とする。
【課題を解決するための手段】
【０００６】
請求項１に記載の発明は、タッチパネル付き表示器および少なくとも通信結果、受信時刻および受信ページ数を含む受信履歴情報を保存するとともにユーザ操作に基づいて保存している受信履歴情報をタッチパネル付き表示器に表示させる手段を備えており、受信履歴情報には受信時に発信者番号を取得できたときには発信者番号が含まれるようになっているファクシミリ装置において、ユーザ操作に基づいて、受信履歴のリストをタッチパネル付き表示器に表示させる第１手段、受信履歴のリストからユーザによって選択されたリストに対応する受信履歴の詳細情報を表示する際には、ユーザによって選択されたリストに対応する受信履歴情報内に発信者番号が含まれているか否かを判別する第２手段、発信者番号が含まれていると判別した場合には、ユーザによって選択されたリストに対応する受信履歴の詳細情報とともに、迷惑・誤送信通知ボタンを含む受信履歴詳細画面をタッチパネル付き表示器に表示させる第３手段、ならびに受信履歴詳細画面上の迷惑・誤送信通知ボタンが操作されたときに、当該受信履歴情報に含まれている発信者番号に基づいて、当該受信履歴に対応する送信元に対して、予め登録されているメッセージであって、迷惑ＦＡＸを中止させたり、間違いＦＡＸが送られてきたことを通知したりするためのメッセージをファクシミリ送信する第４手段を備えていることを特徴とする。
【０００７】
請求項２に記載の発明は、請求項１に記載の発明において、受信履歴情報には受信画像の一部が含まれており、上記第４手段は、上記受信履歴に対応する送信元に対して、上記メッセージとともに当該受信履歴情報に含まれている受信画像の一部をファクシミリ送信するものであることを特徴とする。
【０００８】
請求項３に記載の発明は、請求項１乃至２に記載の発明において、受信を拒否すべき発信者番号を不揮発性メモリに受信拒否番号としてユーザに登録させる手段、受信時において、発信者番号通知またはＴＳＩ情報から取得した発信者番号が、受信拒否番号として登録されている場合には、受信処理を行なうことなく、回線を遮断させる手段、および上記第３手段によって表示されている受信履歴詳細画面上の迷惑・誤送信通知ボタンが操作されたときに、当該受信履歴情報に含まれている発信者番号を上記不揮発性メモリに受信拒否番号として自動的に登録させる手段を備えていることを特徴とする。
【発明の効果】
【０００９】
この発明によれば、迷惑ＦＡＸや間違いＦＡＸを正常に受信した場合に、送信元に迷惑ＦＡＸを中止させたり、間違いＦＡＸが送られてきたことを送信元に通知したりするためのメッセージを、簡単な操作で送信元に送ることができるようになる。
【発明を実施するための最良の形態】
【００１０】
以下、図面を参照して、この発明の実施例について説明する。
【実施例１】
【００１１】
図１は、ファクシミリ装置の構成を示している。
【００１２】
ファクシミリ装置は、ＣＰＵ１によって制御される。ＣＰＵ１は、そのプログラム等を記憶するＲＯＭ２、画像データ、その他の必要なデータを記憶するＲＡＭ３、後述する受信拒否番号、受信履歴等を記憶するための不揮発性メモリ４を備えている。
【００１３】
ＣＰＵ１には、原稿画像を読み取るためのスキャナ部５、受信された画像を印刷するためのプリント部６、各種の操作および設定ならびに各種の案内表示を行なう操作表示部７、モデム８等が接続されている。操作表示部７は、タッチパネル付きの液晶表示器を備えている。モデム８には、ＮＣＵ９が接続されている。ＮＣＵ９には、公衆電話回線が接続されている。
【００１４】
このファクシミリ装置は、ＴＳＩ（Transmitting Subscriber Identification; 送信端末識別) 情報から読み取ったファクシミリ発信元の電話番号や、発信者番号通知によって取得されたファクシミリ発信元の電話番号と、不揮発性メモリ４に予め登録されている受信拒否番号とを比較し、ファクシミリ発信元の電話番号が受信拒否番号のいずれかと一致した場合には、受信処理を行なわずに、回線を切断するといった迷惑ＦＡＸ防止機能を備えている。
【００１５】
また、ファクシミリの受信履歴を保存する機能、受信履歴を利用して、ユーザが選択した送信元に対して、迷惑ＦＡＸを中止させたり、間違いＦＡＸが送られてきたことを通知したりするためのメッセージを送信する機能を備えている。
【００１６】
なお、このファクシミリ装置では、受信時において、発信者番号通知がなくかつＴＳＩ情報に発信者番号が含まれていない場合に受信拒否をするか否かを、予め設定できるようになっている。受信拒否をする設定が行なわれている場合にはフラグＦがセット（Ｆ＝１）され、受信拒否をする設定が行なわれていない場合にはフラグＦがリセット（Ｆ＝０）されるものとする。
【００１７】
図２は、受信履歴情報の一例を示している。
【００１８】
受信履歴情報は、通信結果、受信時刻、発信者番号（送信元の電話番号）、受信画像の一部、通信時間および受信ページ数とからなる。発信者番号は、発信者番号通知またはＴＳＩ情報によって取得できた場合のみ受信履歴情報として保持される。受信画像の一部はとは、この例では、最初の頁の半ページ分を意味している。
【００１９】
図３は、受信時の動作を示している。
【００２０】
着呼があると（ステップＳ１）、発信者番号通知があるか否かを判別する（ステップＳ２）。発信者番号通知がある場合には、発信者番号が、不揮発性メモリ４に受信拒否番号として登録されているか否かを判別する（ステップＳ３）。
【００２１】
発信者番号が、不揮発性メモリ４に受信拒否番号として登録されていない場合には、通常通りの受信処理を行なう（ステップＳ４）。つまり、画像信号を受信し、復号化した後、印刷するといった処理を行なう。そして、受信処理が完了すると、回線を切断した後（ステップＳ５）、受信履歴情報を作成して不揮発性メモリ４に保存する（ステップＳ６）。
【００２２】
上記ステップＳ２において、発信者番号通知がない場合には、ＴＳＩ情報を取得する（ステップＳ７）。そして、ＴＳＩ情報に発信者番号が含まれているか否かを判別する（ステップＳ８）。ＴＳＩ情報に発信者番号が含まれている場合には、ステップＳ３に移行する。
【００２３】
上記ステップＳ８において、ＴＳＩ情報に発信者番号が含まれていないと判別した場合には、フラグＦがセットされているか否かを判別する（ステップＳ９）。フラグＦがセットされていなければ（Ｆ＝０）、ステップＳ４に移行し、フラグＦがセットされていれば（Ｆ＝１）、ステップＳ５に移行する。
【００２４】
正常に受信処理が行なわれた後に、ユーザが受信原稿（印字物）を確認したところ、迷惑ＦＡＸや間違いＦＡＸであることが判明した場合には、ユーザは操作表示部７を操作することにより、該当する受信履歴の詳細情報を操作表示部７内の表示器に表示させ、所定の操作を行なうことにより、迷惑ＦＡＸを中止させたり、間違いＦＡＸが送られてきたことを通知したりするためのメッセージを当該受信履歴に対応する送信元に送信することができる。
【００２５】
図４は、受信履歴情報に基づいて、迷惑ＦＡＸや間違いＦＡＸの送信元に対して、迷惑ＦＡＸを中止させたり、間違いＦＡＸが送られてきたことを通知したりするためのメッセージを送信するための処理手順を示している。
【００２６】
なお、操作表示部７内のタッチパネル付き表示器の初期画面には、受信履歴表示ボタンが表示されているものとする。
【００２７】
ユーザによって受信履歴表示ボタンが押し下げられると（ステップＳ１１）、操作表示部７内のタッチパネル付き表示器に、受信履歴をリスト表示する（ステップＳ１２）。この受信履歴リスト表示画面には、受信履歴のリストが受信時刻の順番に前後方向に並んで表示されるとともに、上スクロールキー、下スクロールキー、詳細ボタン、閉じるボタンが表示される。個々のリストには、例えば、発信者番号（取得できた場合のみ）、受信時刻および通信結果が横一列に表示される。
【００２８】
受信履歴リスト表示画面が表示されている状態においては、閉じるボタンが押下げられたか否か（ステップＳ１３）、上スクロールキーまたは下スクロールキーが押下げられたか否か（ステップＳ１４）、１つのリストが選択されている状態において詳細ボタンが押下げられたか否か（ステップＳ１５）を監視する。
【００２９】
受信履歴リスト表示画面が表示されている状態において、閉じるボタンが押下げられると（ステップＳ１３でＹＥＳ）、表示画面を初期画面に戻した後（ステップＳ１６）、今回の処理を終了する。
【００３０】
受信履歴リスト表示画面が表示されている状態において、上スクロールキーまたは下スクロールキーが押下げられると（ステップＳ１４でＹＥＳ）、受信履歴のリストをそのキーの方向に応じてスクロールさせた後（ステップＳ１７）、ステップＳ１３に戻る。
【００３１】
受信履歴リスト表示画面上で１つのリストが選択されている状態において、詳細ボタンが押下げられた場合には（ステップＳ１５でＹＥＳ）、選択されたリストに対応する受信履歴情報内に発信者番号が含まれているか否かを判別する（ステップＳ１８）。
【００３２】
選択されたリストに対応する受信履歴情報内に発信者番号が含まれていない場合には、図５に示すような受信履歴詳細画面（第１の受信履歴詳細画面）を表示する（ステップＳ１９）。第１の受信履歴詳細画面には、図５に示すように、ユーザによって選択されたリストに対応する受信履歴情報に基づいて、受信結果、受信時刻、受信ページ数および発信者番号（この場合には受信履歴情報内に発信者番号が含まれていないので、項目名のみで発信者番号は表示されない）が表示されるとともに、閉じるボタンが表示される。
【００３３】
第１の受信履歴詳細画面が表示されている状態において、閉じるボタンが押下げられると（ステップＳ２０でＹＥＳ）、表示画面を受信履歴リスト画面に戻した後（ステップＳ２１）、ステップＳ１３に戻る。
【００３４】
上記ステップＳ１８において、選択されたリストに対応する受信履歴情報内に発信者番号が含まれていると判別した場合には、図６に示すような受信履歴詳細画面（第２の受信履歴詳細画面）を表示する（ステップＳ２２）。第２の受信履歴詳細画面には、図６に示すように、ユーザによって選択されたリストに対応する受信履歴情報に基づいて、受信結果、受信時刻、受信ページ数および発信者番号（発信者のＦＡＸ番号）が表示されるとともに、閉じるボタンおよび迷惑・誤送信通知ボタンが表示される。
【００３５】
第２の受信履歴詳細画面が表示されている状態においては、閉じるボタンが押下げられたか否か（ステップＳ２３）、迷惑・誤送信通知ボタンが押下げられたか否か（ステップＳ２４）を監視する。
【００３６】
第２の受信履歴詳細画面が表示されている状態において、閉じるボタンが押下げられると（ステップＳ２３でＹＥＳ）、表示画面を受信履歴リスト画面に戻した後（ステップＳ２５）、ステップＳ１３に戻る。
【００３７】
第２の受信履歴詳細画面が表示されている状態において、迷惑・誤送信通知ボタンが押下げられると（ステップＳ２４でＹＥＳ）、当該受信履歴に対応する送信元に対して、迷惑ＦＡＸを中止させたり、間違いＦＡＸが送られてきたことを通知したりするためのメッセージを、当該受信履歴情報に含まれている受信画像の一部とともにファクシミリ送信する（ステップＳ２６）。このメッセージは予め不揮発性メモリ４に登録されている。このメッセージとしては、例えば、「誤送信だと思われますが。ＦＡＸ番号をお確かめの上、再発防止をお願いします。」というようなメッセージが用いられる。
【００３８】
また、迷惑・誤送信通知ボタンが一度押下げられた後に、再度押下げられることによって、上記のような通信が複数回に渡って行なわれるのを防止するために、迷惑・誤送信通知ボタンが押下げられて、メッセージの送信が開始されると、迷惑・誤送信通知ボタンが無効化される（ステップＳ２７）。そして、ステップＳ２６によるファクシミリ送信が完了すると（ステップＳ２８でＹＥＳ）、送信が完了したことを表示する（ステップＳ２９）。そして、迷惑・誤送信通知ボタンを有効化した後（ステップＳ３０）、ステップＳ２３に戻る。
【００３９】
なお、第２の受信履歴詳細画面が表示されている状態において、迷惑・誤送信通知ボタンが押下げられた場合には、上記ステップＳ２６による処理を行なうとともに、当該受信履歴情報中の発信者番号を、受信拒否番号として自動的に不揮発性メモリ４に登録させるようにしてもよい。
【図面の簡単な説明】
【００４０】
【図１】ファクシミリ装置の構成を示すブロック図である。
【図２】受信履歴情報の一例を示す模式図である。
【図３】受信時の動作を示すフローチャートである。
【図４】受信履歴情報に基づいて、迷惑ＦＡＸや間違いＦＡＸの送信元に対して、迷惑ＦＡＸを中止させたり、間違いＦＡＸが送られてきたことを通知したりするためのメッセージを送信するための処理手順を示すフローチャートである。
【図５】第１の受信履歴詳細画面の一例を示す模式図である。
【図６】第２の受信履歴詳細画面の一例を示す模式図である。
【符号の説明】
【００４１】
１  ＣＰＵ
２  ＲＯＭ
３  ＲＡＭ
４  不揮発性メモリ
５  スキャナ部
６  プリント部
７  操作表示部
８  モデム
９  ＮＣＵ
【図１】
2007028024.tif 000003
【図２】
2007028024.tif 000004
【図３】
2007028024.tif 000005
【図４】
2007028024.tif 000006
【図５】
2007028024.tif 000007
【図６】
2007028024.tif 000008